(57)【特許請求の範囲】
【請求項１】
多数のボール(2) がコード(3) に等間隔に固着されてなるボールチェーン(1) を任意の位置で連結する係着具(10,100)であって、
前記係着具(10,100)の本体(11,111)は、
その中央部(17,117)を挟んで配され、ボール(2,2;2′,2″) を収納可能な一対の独立した第１及び第２のボール収納部(12,13;112,113) と、
各ボール収納部(12,13;112,113) と連通し、同収納部(12,13;112,113) に収納される各ボール(2,2;2′,2″) に隣接するコード(3a 〜3c) を収納可能な第１〜第３のコード収納部(14 〜16;114〜116)とを備えてなり、
前記第１及び第２のボール収納部(12,13;112,113) 及び第１〜第３のコード収納部(14 〜16;114〜116)は、それぞれにボール用及びコード用の脱着開口(12b〜16b;112b〜116b) を有し、各脱着開口(12b〜16b;112b〜116b) はＵ字断面を有してなり、
前記第１及び第２のボール収納部(12,13;112,113) の間に配された第２のコード収納部を第１及び第２のボール収納部(12,13) の肉厚より厚く形成した破損防止構造を備えてなる、
ことを特徴とするボールチェーン用係着具。
【請求項２】
前記第１及び第２のボール収納部(12,13;112,113) の各外側に配された第１及び第３のコード用の各脱着開口(14b,16b；114b,116b)の内壁面には前記コードの係脱部(14a,16a；114a,116a)を有してなる請求項１記載のボールチェーン用係着具。
【請求項３】
前記第１及び第２のボール用の脱着開口(12b,13b) と、第１及び第２のボール収納部(12,13) の各外側に配された前記第１及び第３のコード用の少なくとも各脱着開口(14b,16b) とが、前記本体(11)の同一側面に連通して形成されてなる請求項１又は２記載のボールチェーン用係着具。
【請求項４】
前記第１のボール収納部(112) と第２のボール収納部(113) とが、前記本体(111) の長手方向に沿った軸線に直交する同本体(111) の中心線に関して対称の位置に形成されてなり、前記第１及び第２のボール用の各脱着開口(112b,113b) とその外側に配された前記第１及び第３のコード用の各脱着開口(114b,116b) とが連通して形成されてなる請求項１又は２記載のボールチェーン用係着具。
【請求項５】
前記本体の反対側の側面に形成された第１のボール収納部(112) の底部と、同底部の外側に隣接する第１のコード収納部(114) の底部及び前記中央部(117) とが、互いに連通するコード収納開口(118) を有すると共に、該コード収納開口(118) が前記各底部を貫通すると共に、第２のボール収納部(113) に連通してなる請求項４記載のボールチェーン用係着具。
【請求項６】
第１のコード収納部(114) の底部に対応する部分の前記コード収納開口(118) の開口内壁面にコードの係脱部(118a)を有してなる請求項５記載のボールチェーン用係着具。
【発明の詳細な説明】
【０００１】
【発明の属する技術分野】
本発明は、コードに多数のボールを固着したボールチェーンの両端を連結し、或いはボールチェーンの任意の部位に取り付けられ、同ボールチェーンの移動を規制するたの係着具に関する。
【０００２】
【従来の技術】
ボールチェーンは、金属ワイヤ、繊維紐、合成樹脂線などのコードに、同じく金属製或いは合成樹脂製のボールが等ピッチで連続して固着されて構成されている。これらのボールチェーンの用途は多様であり、例えば携帯電話の持ち手具、装身用鎖、蛍光燈の点燈操作具、各種インテリアの吊下具やブラインドの開閉操作具などが挙げられる。また、その使い方も多様であり、ボールチェーンをエンドレスに連結し、或いは直線的に連結する。例えば、実公平２−１５０６８号公報や特開平５−２９５６４２号公報には、ボールチェーンの端部同志を連結具をもって連結しエンドレスのチェーンを作成して、ブラインドの操作用チェーンとして使用することが開示されている。
【０００３】
実公平２−１５０６８号公報に開示された連結具は、所定の長さと幅をもつ上下壁部の両端を、同じ幅を有する半円径の外側に膨出する端壁により連結した、平面視でボールの長径の略３倍の長さと同ボールの短径よりも僅かに大きい幅を有する偏平な環状部材から構成され、その上壁の中央部にボールの外形にほぼ等しい形状の穴を形成すると共に、その穴と前記端壁上半部とを直線的に連通するコード幅よりも僅かに小さい幅をもつ切欠き開口を有している。また、上壁の前記穴の周縁部を肉厚に形成している。
【０００４】
いま、この連結具をもってボールチェーンの端部同志を連結するには、一方の端部のボールを前記中央部の穴から内部に挿入すると共に、同ボールに連結されたコード部分を前記切欠き開口から嵌め込み、端部側に引っ張ったのちに、他方の端部のボールを前記中央部の穴から内部に挿入すると共に、同ボールに連結されたコード部分を前記切欠き開口から嵌め込み、端部側に引っ張って連結を完了する。
【０００５】
一方、上記特開平５−２９５６４２号公報の図５及び図６に開示されたボールチェーンの連結具は、コードとほぼ等しい太さを有し、隣接する各ボール間の長さとほぼ等しい長さを有する可撓線部の両端に、同一側面から各ボールを嵌着保持するボールとほぼ同じ外郭形状のボール保持部を成形一体化したものである。前記ボール保持部にはボール脱着開口に連通するボール収納陥没部が形成されており、前記可撓線部とは反対側の部分は前記ボール収納陥没部に連通するコード収納溝が形成されている。ボールチェーンの端部同志を連結するには、その端部のボールを前記ボール脱着開口から前記ボール収納陥没部に収納すると共に、前記コード収納溝にコードを収納することにより行う。
【０００６】
【発明が解決しようとする課題】
しかして、上記実公平２−１５０６８号公報に開示されたボールチェーンの連結具によれば、穴周縁部を肉厚に形成して補強しているとは言え、全体が薄井板材からなる偏平な環状部材から構成され、しかも上壁には前記穴の他にコード部分を嵌め込むための切欠き開口が形成されているため、外力により容易に変形、或いは破損しやすく、耐久性に乏しいものであった。
【０００７】
またこの連結具では、連結具により連結された端部の各ボールが連結具の内部を連結方向に移動しやすく、その結果、ボールが上壁に形成された穴から外に飛び出しやすく、前記コード部分を嵌め込むための切欠き開口の幅をコードよりも狭く形成しているとしても、コードも同切欠き開口から外れやすい。従って、安定した連結が実現しにくい。
【０００８】
一方の特開平５−２９５６４２号公報に開示された連結具も、上述の連結具と同様に、２つのボール保持部を連結する可撓線部が容易に切断されやすく、しかもボール保持部及びコード収納部は単なる陥没形状を有するに過ぎないため、当然にボール及びコードが外れやすく、連結具としての機能が発揮されない。
【０００９】
また、この連結具をボールチェーンの任意の部位に取り付けることは不可能である。仮に、無理して取り付けたとしても前記２つのボール保持部に保持されたボール間を連結するコード部分は外に飛び出した状態にあり、そのコード部分に何かが引っ掛かると同連結具が容易にボールチェーンから脱落してしまう。
【００１０】
本発明は、こうした従来の課題を解決すべくなされたものであり、その具体的な目的は、第１に強度の点で優れており、第２に安定した連結構造を有し、第３にボールチェーンの任意の部位に取り付けることができ、チェーンの妄りな移動を規制するストッパとしても機能するボールチェーンの係着具を提供することにある。
【００１１】
【課題を解決するための手段】
本件請求項１に係る発明は、多数のボールがコードに等間隔に固着されてなるボールチェーンを任意の位置で連結する係着具であって、前記係着具の本体は、その中央部を挟んで配され、ボールを収納可能な一対の独立した第１及び第２のボール収納部と、各ボール収納部と連通し、同収納部に収納される各ボールに隣接するコードを収納可能な第１〜第３のコード収納部とを備えてなり、前記第１及び第２のボール収納部及び第１〜第３のコード収納部は、それぞれにボール用及びコード用の脱着開口を有し、各脱着開口はＵ字断面を有してなり、前記第１及び第２のボール収納部の間に配された第２のコード収納部を前記第１及び第２のボール収納部の肉厚より厚く形成した破損防止構造を備えてなることを特徴とするボールチェーン用係着具にある。
【００１２】
本発明にあっては、例えば係着具の本体が必要とする収納部などの除肉部を除く外郭形状が連続する形態として中央部を、他の部分よりも肉厚に構成した破損防止構造とすることにより、従来のごとく中央部が簡単には折れ曲がったり、捻じれたり、或いは容易に折損するようなことがない。
【００１３】
本発明における上記コード収納部は、第１及び第２のボール収納部のそれぞれ外側に形成される他に、上記中央部にも形成される。中央部にもコード収納部を形成すれば、ボールチェーンの端部同士が連結できるに止まらず、前記中央部に形成されたコード収納部に隣接するボール間を連結するコードをも収納できるため、本発明に係る係着具をボールチェーンの任意の部位に取り付けることができ、同係着具はボールチェーンが妄りに移動しないように規制する規制部材として機能する。
【００１４】
請求項２に係る発明は、前記第１及び第２のボール収納部の各外側に配された第１及び第３のコード用の各脱着開口の内壁面には前記コードの係脱部を有してなることを特徴としている。好ましくは、前記コードの係脱部を各脱着開口の対向する内壁面にそれぞれ設ける。このコード係脱部により、一旦脱着開口からコード収納部に嵌め込まれたコード部分は簡単には外に抜け出ることがなく、チェーン端部同士が係着具により安定して連結され、或いは係着具をボールチェーンの任意の部位に確実に係着させることが可能となる。
【００１５】
請求項３に係る発明は、前記第１及び第２のボール用の脱着開口と、第１及び第２のボール収納部の少なくとも各外側に配された第１及び第３のコード用の各脱着開口とが、前記本体の同一側面に連通して形成されてなることを特徴としている。かかる構成により、ボールチェーンの端部同士を連結するには、端部のボールをそれぞれ第１と第２ボール収納部に嵌着すると共に、前記ボールに連結されているコードを第１と第２ボール収納部の外側に隣接する第１及び第３のコード収納部の脱着開口から嵌め込む。このとき、前記コード脱着開口の内壁面に係脱部が形成されている場合には、その連結が極めて強固なものとなる。
【００１６】
また、係着具の本体中央部にも前記第１および第３のコード収納部と同様の第２のコード収納部を形成するため、ボールチェーンの任意の部位にある２個の隣接するボールを、上記第１及び第２ボール収納部に嵌着すると共に、嵌着されたボール間を連結するコードと各ボールの外側に連結されたコードとを、それぞれ対応するコード収納部に嵌め込めば、本発明の係着具をボールチェーンの任意の部位に安定して取り付けることが可能である。しかも、この場合には、１本のボールチェーンの２ケ所以上に係着具を取り付けることができ、各種物品に取付けられたボールチェーンが各係着具の間の範囲においてのみ移動することができ、ボールチェーンの移動を規制するストッパの機能を発揮する。
【００１７】
請求項４に係る発明は、前記第１のボール収納部と第２のボール収納部とが、前記本体の長手方向に沿った軸線に直交する同本体の中心線に関して対称の位置に形成されてなり、前記第１及び第２のボール用の各脱着開口とその外側に配された前記第１及び第３のコード用の各脱着開口とが連通して形成されてなることを特徴としている。いま、ボールチェーンの両端部を本発明の係着具により連結しようとするときは、係着具の一方の側面に形成された第１ボール収納部に一端のボールを嵌着収納すると共に、同ボールと隣接するボール間を連結するコードを、対応するコード収納部に収納し、係着具の他方の側面に形成された第２ボール収納部に、例えば他端のボールを嵌着収納すると共に、同ボールと隣接するボールとの間を連結するコードを、対応するコード収納部に収納してボールチェーンの連結が終了する。
【００１８】
本発明の係着構造によれば、ボールチェーンの端部同士を一旦連結すると、係着具を挟んで連結されたチェーンの端部を係着具から互いを引き離す方向に引っ張らないかぎり、一方のコード収納部の底面が収納されたコード部分をしっかりと支持するため、容易には連結が解除されることがない。
【００１９】
請求項５に係る発明は、前記本体の前記中心線に関して対称に形成された第１及び第２のボール収納部のうちの第１のボール収納部の底部と、同底部の外側に隣接する第１のコード収納部の底部及び前記中央部とが、互いに連通するコード収納開口を有すると共に、該コード収納開口が前記各底部を貫通すると共に、第２のボール収納部に連通してなることを特徴としている。
【００２０】
この発明は、上記請求項４に係る発明にあって、第１のボール収納部とその外側に隣接するコード収納部と中央部とを、それぞれコード収納開口で連通すると共に、同コード収納開口を第２ボール収納部と同収納部の外側に隣接するコード収納部とに連通させている。その結果、第１ボール収納部及び同収納部に隣接するコード収納部は、双方共に前記コード収納開口と連通する。
【００２１】
いま、本発明の係着具をボールチェーンの任意の部位に取り付けるときは、本発明の係着具をボールチェーンの取付部位と直交させて配し、前記第１ボール収納部に２個のボールの一方を挿入する。この挿入は、第１及び第２のボール収納部に収納保持される２個のボールを連結するコード部分を、第１ボール収納部の外側に隣接する第１のコード収納部を貫通するコード収納開口に同時に挿入することによりなされる。
【００２２】
この挿入を終えたのち、ボールチェーンを係着具の長手方向の中心線に沿わせるようにして、前記挿入されたボールを中心に回動させる。この回動時には、前記挿入されたボールに結合された一方のコードは第１ボール収納部の外側に隣接するコード収納部に嵌め込まれると共に、２個のボールのうち他方のボールを第２ボール収納部に嵌着収納する。このとき同時に２個のボールを連結するコード部分は、係着具の上記中央部に形成された第２のコード収納部に収納されると共に、第２ボール収納部に収納されたボールの外側の連結コード部分が同収納部の外側に連通する第３のコード収納部に嵌め込まれる。
【００２３】
請求項６に係る発明は、第１のコード収納部の底部に対応する部分の前記コード収納開口の開口内壁面にコードの係脱部を有してなることを特徴としている。このコード係脱部を設けることにより、上述のごとく第１ボール収納部の外側に隣接する第１のコード収納部に嵌め込まれるコードが、前記コード収納開口から外に抜け出すことがなく、係着具を安定して且つしっかりとボールチェーンに取り付けることができるようになる。
【００２４】
【発明の実施形態】
以下、本発明の好適な実施形態を添付図面を参照しながら具体的に説明する。
図１は本発明の第１実施形態を示すボールチェーン用の係着具の外観図であり、図２〜図６はその構造説明図、図７〜図１１はその係着状態の説明図である。
【００２５】
本実施形態による係着具１０は熱可塑性の合成樹脂材料から得られる射出成形品であり、その本体１１の全体形状が略繭玉状を呈しており、その一側面（図示例では上側面）にボールチェーン１の２個のボール２を収納保持する第１及び第２のボール収納部１２，１３と各ボール２を連結する第１〜第３のコード部分３ａ〜３ｃを収納する３か所の第１〜第３のコード収納部１４〜１６が直線状に連設されている。
【００２６】
図示例によれば、前記第１及び第２のボール収納部１２，１３は、前記係着具本体１１の中央部１７を挟んで長さ方向に形成されており、図７に示すような同じく繭玉状のボール２を横に嵌着して保持する嵌着保持部分１２ａ，１３ａと、同嵌着保持部分１２ａ，１３ａに連通し、ボール２をそれぞれに嵌入・離脱させるための脱着開口部分１２ｂ，１３ｂとから構成されるポケットである。
【００２７】
前記中央部１７には、上記コード部分３ｂを収納するポケットである第２のコード収納部１５が形成されている。この第２のコード収納部１５は前記第１及び第２のボール収納部１２，１３の各嵌着保持部分１２ａ，１３ａ及び各脱着開口部分１２ｂ，１３ｂに連通するＵ字断面のコード収納溝から構成される。
【００２８】
前記第１及び第３コード収納部１４，１６は、上記係着具本体１１の第１及び第２ボール収納部１２，１３の外側に、各ボール収納部１２，１３の各嵌着保持部分１２ａ，１３ａ及び各脱着開口部分１２ｂ，１３ｂに連通して形成されるＵ字断面のポケットからなる。
【００２９】
ただ、本実施形態では、上記中央部１７に形成された第２コード収納部と異なり、そのＵ字断面の対向する中間内壁面にそれぞれが長さ方向に延びる断面が略直角三角形のコード係脱突条１４ａ，１６ａが突設されている。このコード係脱突条１４ａ，１６ａの短辺からなる下面に隣接する内壁面及び底面により囲まれるコード係着空間１４ｃ，１６ｃの断面形態は、コード断面に略等しくされている。また、前記中央部１７の第２コード収納部１５の開口幅は、図５に示すごとく第１及び第２のボール収納部１２，１３の開口幅より狭く、コード部分が嵌め込まれるに必要十分な幅狭に設定され、更に第２コード収納部１５の底深さは、図６に示すごとく第１及び第２のボール収納部１２，１３の深さより浅く、第１及び第３のコード収納部の底深さより浅くない深さに設定され、係着具１７の長さ方向端部の強度を他の部分よりも高くしている。
【００３０】
図７〜図９は、上記実施形態に係るボールチェーン用係着具１０をもってボールチェーン１の端部同士を連結したときの係着態様を示す説明図である。これらの図から明らかなように、ボールチェーン１の端部に配された２個のボール２は、それぞれが第１及び第２ボール収納部１２，１３に横向きで嵌着保持され、各端部のボール２に隣接するボール２との間を連結する第１及び第３のコード部分３ａ，３ｃは、前記ボール収納部１２，１３の外側に連通して形成された第１及び第３のコード収納部１４，１６にコード係脱突条１４ａ，１６ａを越えて嵌め込まれている。
【００３１】
ボール２を各ボール収納部１２，１３に嵌着保持させるには、各ボール２，２を、前記コード部分３ａ，３ｃが係着具本体１１の長さ方向に沿うように、横向きにして各ボール収納部１２，１３の脱着開口部分１２ｂ，１３ｂから嵌め込む。一方、第１及び第３コード部分３ａ，３ｃは、第１及び第３コード収納部１４，１６の脱着開口部分１４ｂ，１６ｂから嵌め込み、コード係脱突条１４ａ，１６ａを越えて、同コード係脱突条１４ａ，１６ａの下面と同収容部１４，１６の底面との間のコード係着空間１４ｃ，１６ｃに収納保持される。
【００３２】
このように、ボールチェーン１の端部同士が連結されると、各端部のボール２が、たとえ第１及び第２のボール収納部１２，１３の内部で動いたとしても、第１及び第３の各コード収納部１４，１６に収納された各コード部分３ａ，３ｃは図９に示すごとく上記コード係脱突条１４ａ，１６ａにより係着保持され、容易には外れることがなく、しっかりとボールチェーン１の端部同士を連結する。また、本実施形態による上記中央部１７の第２のコード収納部１５は、図８に示すごとく各ボール収納部１２，１３の肉厚よりも厚く形成されるため、係着具１０に外力が加わっても、簡単には変形せず、収容された各ボール２の移動も規制され、ましてや同中央部１７にて捻じ曲がったり、折損することがない。
【００３３】
図１０は、上記実施形態に係る係着具１０をボールチェーン１の任意の部位に係着固定したときの固定態様を示している。
長尺のコード３に多数のボール２が等間隔に連続して固着されたボールチェーン１の隣接する任意の２個のボール２の部位に本実施形態による係着具１０を係着固定するには、ボールチェーン１の前記２個のボール２を係着具１０の第１及び第２のボール収納部１２，１３の脱着開口部分１２ｂ，１３ｂにあてがうと共に、２個の前記ボール２を連結する第２のコード部分３ｂを前記中央部１７に形成された第２コード収納部１５の脱着開口部分１５ｂにあてがい、更に２個のボール２のそれぞれ外側に連結されている第１及び第３のコード部分３ａ，３ｃを第１及び第２ボール収納部１２，１３の外側に隣接する第１及び第３のコード収納部１４，１６の各脱着開口部分１４ｂ，１６ｂにあてがう。
【００３４】
次いで、２個の前記ボール２，２をそれぞれ対応する第１及び第２ボール収納部１２，１３に押し込むと、このとき同時に第２のコード部分３ｂが中央部１７に形成された第２コード収納部１５に嵌め込まれる。このあとで、第１及び第３のコード部分３ａ，３ｃを第１及び第３のコード収納部１４，１６の各脱着開口部分１４ｂ，１６ｂに嵌め込んで、各コード係脱突条１４ａ，１６ａを越えるまで押し込む。
【００３５】
こうして取り付けられた係着具１０は、２個のボール２とそれらを連結するコード部分３ａ〜３ｃの全てが各収納部１２〜１６に収納保持され、特に第１及び第３コード部分３ａ，３ｃは第１及び第３のコード収納部１４，１６の内壁面に形成された各コード係脱突条１４ａ，１６ａに係着した状態で、上記コード係着空間１４ｃ，１６ｃに収納されるため、各コード部分３ａ，３ｃが各収納部１４，１６から抜け出ることがなく、係脱具１０がボールチェーン１から簡単には脱落することがない。
【００３６】
図１１は前記係着具をもって１本のボールチェーンの端部を連結してエンドレスにすると共に、ボールチェーンの任意の部位に同じく前記係着具を取り付けた状態を示している。このようにしてボールチェーンの２ケ所に係着具１０を取り付けて使用することができ、例えば、このようなボールチェーンを図示せぬ携帯電話の持ち手紐として使用し、ボールチェーンを電話本体の持ち手紐挿通孔に挿通した後、該挿通孔の両側の一方においてボールチェーンをエンドレスに連結するようにして係着具を取り付け、他方においてボールチェーンを前記挿通孔を通じて妄りに移動しないように規制するための係着具を取り付ける。
【００３８】
図１２〜図１６は、本発明の代表的な第２実施形態に係る係着具１００の構造を示す説明図である。この第２実施形態にあっても、係着具本体１１１の全体形状は上記第１実施形態と同様に細長い繭玉状を呈している。
【００３９】
そして、本実施形態にあっては、その中央部１１７を挟んで形成される第１及び第２ボール収納部１１２，１１３が、前記本体の長手方向に沿った軸線に直交する同本体の中心線に関して対称の位置に形成されている。各ボール収納部１１２，１１３の形状は、上記第１実施形態における形状と実質的に同じである。つまり、各ボール収納部１１２，１１３は、それぞれが嵌着保持部分１１２ａ，１１３ａ及び各脱着開口部分１１２ｂ，１１３ｂを有している。
【００４０】
係着具本体１１１に対して、第１及び第２ボール収納部１１２，１１３が上述のごとく形成されるため、各ボール収納部１１２，１１３のそれぞれ外側に隣接する第１及び第３のコード収納部１１４，１１６もまた、互いに反対側となる側面に形成されている。
【００４１】
更に本実施形態によれば、前記第１ボール収納部１１２の外側に隣接する第１コード収納部１１４の底部と上記中央部１１７には、前記第１コード収納部１１４の断面形状と等しい断面形状のコード収納開口１１８が、前記第１コード収納部１１４、第１ボール収納部１１２及び第２ボール収納部１１３の全てにわたり連通するように形成されている。従って、前記第１コード収納部１１４の外側端部は、その底部をも含めて外部と同じ断面をもって連通している。
【００４２】
この実施形態では、上記第１コード収納部１１４及び上記コード収納開口１１８の対向する各内壁面に、コード３を収納保持するに十分な間隔をおいてそれぞれコード係脱突条１１４ａ，１１８ａを突設している。また、上記第３コード収納部１１５の内壁面にも、上記第１実施形態と同様に、コード係脱突条１１６ａが突設されている。
【００４３】
かかる構成を備えた第２実施形態の係着具１００をもってボールチェーン１の端部同士を連結するときは、上記第１実施形態と同様に、各ボール２と第１及び第３のコード部分３ａ，３ｃとを対応する収納部１１２，１１３，１１４，１１６にあてがい、押し込むようにして嵌着して収納保持することにより端部同士を連結することができる。
【００４４】
一方、この係着具１００をボールチェーン１の任意の部位に取り付ける場合は、図１７及び図１８に示すような格別の操作が必要である。図１７及び図１８は、このときのボールチェーン１に対する係着具１００の取り付け操作の説明図である。次に、これらの図を参照しながら係着具１００の取付手順を説明する。
【００４５】
先ず、ボールチェーン１の取付部位にある１個のボール２′を第１ボール収納部１１２に収納する。このとき、図１７にあって収容されるボール２′の下方に連結された第２コード部分３ｂを、先ず第１コード収納部１１４に嵌め込み、同第２コード部分３ｂを下方へ引きつつ、図１７に仮想線で示すごとくボールチェーン１を係着具１００と直交するまで左側に回動させる。この回動により、第１ボール収納部１１２に収納すべき前記ボール２′が第１ボール収納部１１２に縦向きに収納されるとともに第２コード部分３ｂがコード収納開口１１８内へ挿通する。
【００４６】
前記ボールチェーン１を更に左側に回動させると、その回動の途中で第１ボール収納部１１２に収納された上記ボール２′の下方にある第２ボール収納部１１３に収納されるボール２″を連結している上記第２コード部分３ｂが、中央部１１７に形成された第２コード収納部１１５に収納されると共に、ボール２″が第２ボール収納部１１３に収納され、更に第２ボール収納部１１３に収納されたボール２″の外側に隣接するボール２との間を連結する第３コード部分３ｃが対応する第３コード収納部１１６に嵌め込まれて係着保持される。
【００４７】
この第２実施形態に係る係着具１００によると、上記第１実施形態と同様の作用効果を奏することに加えて、例えばボールチェーン１に一方の側面に形成された各収納部の開口方向に動かそうとする外力が加わったとき、他方の収納部の底部がボールチェーン１を移動を阻止しようとするため、上第１実施形態のごとく同一側面に各収納部が形成されている場合に比べると、より離脱しにくくなる。
【００４９】
以上は、本発明の代表的な実施形態とその変形例について説明したが、本発明はこれらの実施形態及びその変形例に限定されるものではなく、例えば係着具本体の形態やボールの形態により、或いはコードの太さや材質により、本発明の精神を逸脱しない範囲で自由に設計変更できるものである。
【図面の簡単な説明】
【図１】  本発明の第１実施形態に係るボールチェーン用係着具の外観図である。
【図２】  同係着具の正面図である。
【図３】  同係着具の平面図である。
【図４】  同係着具の側面図である。
【図５】  図２のII-II 線に沿った矢視断面図である。
【図６】  図３のIII-III 線に沿った矢視断面図である。
【図７】  前記係着具によるボールチェーンの端部同士の連結状態を示す要部断面図である。
【図８】  図７に示すIV-IV 線に沿った矢視断面図である。
【図９】  図７に示すV-V 線に沿った矢視断面図である。
【図１０】  前記係着具をボールチェーンの任意の部位に取り付けたときの状態を示す要部断面図である。
【図１１】  前記係着具の使用状態を示す全体図である。
【図１２】  本発明の第２実施形態に係るボールチェーン用係着具の上面図である。
【図１３】  同底面図である。
【図１４】  図１２に示すVI-VI 線の矢視断面図である。
【図１５】  同係着具の左側面図である。
【図１６】  図１４に示すVII-VII 線に沿った矢視断面図である。
【図１７】  第２実施形態に係る係着具をボールチェーンの任意の部位に取り付けるときの第１操作手順を示す説明図である。
【図１８】  同第２操作手順を示す説明図である。
【符号の説明】
１              ボールチェーン
２，２′，２″  ボール
３              コード
３ａ〜３ｃ      第１〜第３コード部分
１０，１００      係着具
１１，１１１      係着具本体
１２，１１２      第１ボール収納部
１３，１１３      第２ボール収納部
１２ａ，１３ａ    嵌着保持部分
１２ｂ，１３ｂ    脱着開口部分
１４，１１４      第１コード収納部
１５，１１５      第２コード収納部
１６，１１６      第３コード収納部
１４ａ，１６ａ    コード係脱突条
１４ｂ，１６ｂ    脱着開口部分
１４ｃ，１６ｃ    コード係着空間
１７              中央部
１８              コード収納開口
114a,116a,118a    コード係脱突条
【図１】
0003945959.tif 000002
【図２】
0003945959.tif 000003
【図３】
0003945959.tif 000004
【図４】
0003945959.tif 000005
【図５】
0003945959.tif 000006
【図６】
0003945959.tif 000007
【図７】
0003945959.tif 000008
【図８】
0003945959.tif 000009
【図９】
0003945959.tif 000010
【図１０】
0003945959.tif 000011
【図１１】
0003945959.tif 000012
【図１２】
0003945959.tif 000013
【図１３】
0003945959.tif 000014
【図１４】
0003945959.tif 000015
【図１５】
0003945959.tif 000016
【図１６】
0003945959.tif 000017
【図１７】
0003945959.tif 000018
【図１８】
0003945959.tif 000019